(57)【特許請求の範囲】
【請求項１】
開閉可能な収納物出入部（２）を備える、柔軟な非通気性のシート（１１）（１２）から構成された袋本体（１）と、この袋本体（１）に設けられた脱気用通路（４）とを備えた布団や衣類を圧縮して収納する脱気袋において、
脱気用通路（４）が、非通気性のシート（１１）に設けられた開口部（１１ａ）と、この開口部（１１ａ）に導通するように袋本体（１）の内部に取り付けられた柔軟な筒状の空気通路（４１）とを備え、
この空気通路（４１）が、内部にフラップ（４２）を備えた閉止弁であり、このフラップ（４２）は、空気通路（４１）を構成する外装シート（４３ｂ）に対して接着された固定部（４２ａ）と、固定部（４２ａ）の両側に可動であるフラップ部（４２ｂ）（４２ｃ）を有するものであり、
一方のフラップ部（４２ｂ）は、袋外部から内部への空気の流れを遮断し、他方のフラップ部（４２ｃ）は、袋内部から外部への空気の流れを遮断するものであって、  電気掃除機のノズル等の棒状体（５）を開口部（１１ａ）から空気通路（４１）内に差し込むことにより、袋本体（１）の内部から外部へ空気を排出できるものであることを特徴とする脱気袋。
【請求項２】
空気通路（４１）のうち少なくとも、開口部（１１ａ）に接する部分（４３ｊ）と、空気通路（４１）の中間位置（Ｃ）よりも袋内部側寄りの所定位置（４３ｋ）とが、袋本体（１）の内面に固定されていることを特徴とする請求項１記載の脱気袋。
【請求項３】
空気通路（４１）は、対向する外装シート（４３ａ）（４３ｂ）について、少なくとも一方の外装シートに沿う、一方の軸方向の両端側に位置する開口部（４３ｃ）（４３ｇ）と、前記軸方向に対して交差し、かつ少なくとも一方の外装シートに沿う、他方の軸方向の両端側に位置する閉鎖部（４３ｅ）（４３ｆ）とによって構成された断面が扁平な略筒状の通路であり、
この空気通路（４１）の途中である、一方の外装シート（４３ｂ）の空気通路側の面（４３ｈ）には、外装シート（４３ｂ）に沿って一方の閉鎖部（４３ｅ）から他方の閉鎖部（４３ｆ）にわたって、フラップ（４２）が取り付けられることにより、第１逆止弁と第２逆止弁とが構成され、
第１逆止弁は、フラップ（４２）の一部が外装シート（４３ａ）の空気通路側の面（４３ｉ）に密着することにより、空気通路（４１）における一端側から他端側への空気の流れを遮断するものであり、かつ、第２逆止弁は、同様にして、前記空気通路（４１）における他端側から一端側への空気の流れを遮断するものであり、
棒状体（５）を、空気通路（４１）の両端側の開口部（４３ｃ）（４３ｇ）を結ぶように貫通させ、フラップ（４２）の一部と外装シート（４３ａ）の空気通路側の面（４３ｉ）との密着を解除することによって、空気通路（４１）が通気状態となり、棒状体（５）を引き抜くことによって、空気通路（４１）が遮断状態に復帰することを特徴とする請求項１又は２記載の脱気袋。
【発明の詳細な説明】
【０００１】
【発明の属する技術分野】
本願発明は、衣類や布団等を圧縮してコンパクトに収納する脱気袋の改良に関する。
【０００２】
【従来の技術】
衣類や布団等を圧縮してコンパクトに収納する目的で、柔軟な合成樹脂シート製の袋本体に脱気用通路が取り付けられた脱気袋は、従来から存在している。
この脱気袋の使用方法を簡単に述べる。衣類等を脱気袋内部に収納し、その後収納物出入部のチャックを閉鎖して、電気掃除機のノズルを閉止弁に装着して吸引すること等により、閉止弁から脱気袋内部の空気を外部に排出する。この閉止弁は逆止機能を持っているので外気は脱気袋内部に再び入ることなく、脱気状態を維持できる。そして、衣類や布団等の内容物は、脱気袋に入れ袋内部の空気を抜くことにより、内容物が含む空気も袋外へ排出されるため、体積を減少させることができる。よって、減少した体積分コンパクトに収納することができる。
【０００３】
この種の閉止弁については、種々の形態のものが存在しているが、布団収納袋等の電気掃除機のノズルを閉止弁に装着して吸引するタイプにあっては、剛性を有する合成樹脂で成形されたものが一般的であり、ノズルの先端を閉止弁に押しつけることによって弁が開いて吸引可能となり、ノズルを外すと弁が閉じる構造となっている。
この種の閉止弁は、閉止能力が確実である反面、剛性を有する成形品であるため、使用しない脱気袋を折り畳んで収納しておく場合等に、閉止弁の部分のみが邪魔になったり、また、硬質な閉止弁と柔軟な袋本体の合成樹脂シートとの接着が外れたりしやすいという課題を有する。また、内容物を入れて脱気した後にあっても、閉止弁の一部が外部に突出するため、突出した閉止弁の部分が、特に袋を積み重ねる場合等に邪魔になり、さらに、何かが閉止弁に当たると弁が開いて袋内に空気が侵入してしまうおそれがあった。
また他に、軟質合成樹脂製のフィルムからなる扁平な筒状体に開口部を設け、チャックや屈曲した通路を筒状体の内部に形成し、脱気袋の外部に取り付けて使用する閉止弁が存在する。これについても、脱気袋の外部に閉止弁が飛び出しているため、邪魔になったり、閉止弁の部分を引掛けて閉止弁の部分がちぎれてしまうことがあった。
【０００４】
【発明が解決しようとする課題】
しかして、本願発明は、使用の前後に関わらず、脱気袋のコンパクト性を損なうことなく、しかも、脱気用の空気通路と袋本体との接着が外れにくく、脱気性を維持することのできる脱気袋の提供を課題とする。
【０００５】
【課題を解決するための手段】
本願の第１の発明は、開閉可能な収納物出入部２を備える、柔軟な非通気性のシート１１，１２から構成された袋本体１と、この袋本体１に設けられた脱気用通路４とを備えた布団や衣類を圧縮して収納する脱気袋において、脱気用通路４が、非通気性のシート１１に設けられた開口部１１ａと、この開口部１１ａに導通するように袋本体１の内部に取り付けられた柔軟な筒状の空気通路４１とを備え、この空気通路４１が、内部にフラップ４２を備えた閉止弁であり、このフラップ４２は、空気通路４１を構成する外装シート４３ｂに対して接着された固定部４２ａと、固定部４２ａの両側に可動であるフラップ部４２ｂ，４２ｃを有するものであり、一方のフラップ部４２ｂは、袋外部から内部への空気の流れを遮断し、他方のフラップ部４２ｃは、袋内部から外部への空気の流れを遮断するものであって、電気掃除機のノズル等の棒状体５を開口部１１ａから空気通路４１内に差し込むことにより、袋本体１の内部から外部へ空気を排出できるものであることを特徴とする脱気袋を提供することによって、上記の課題を解決する。
この第１の発明に係る脱気袋にあっては、柔軟な筒状の空気通路４１を柔軟な袋本体１内に内蔵させたものであるため、脱気袋全体を柔軟なものとすることができる。しかも、袋本体１から空気通路４１が突出することなく、使用中あるいは収納時において、空気通路４１が邪魔になることもない。また、袋本体１と空気通路４１とは、共に柔軟な素材から構成されるため、外力が加わったりしても
、両者の接着部分が外れたりすることもない。また、袋内部の脱気及び袋内部への気体充填のどちらも行うことができ、また、簡便に通気状態と遮断状態を切り替えることができる。
【０００６】
本願の第２の発明は、上記の脱気袋にあって、空気通路４１のうち少なくとも、開口部１１ａに接する部分４３ｊと、空気通路４１の中間位置Ｃよりも袋内部側寄りの所定位置４３ｋとが、袋本体１の内面に固定されていることを特徴とするものを提供する。
これにより、電気掃除機のノズル等の棒状体５を開口部１１ａから空気通路４１内に差し込んだ後に、これを引き抜く際、空気通路４１が棒状体５と共に袋外に出て来てしまう事を防止することができる。
【０００７】
また、本願の第３の発明は、上記の各発明に係る脱気袋において、空気通路４１は、対向する外装シート４３ａ，４３ｂについて、少なくとも一方の外装シートに沿う、一方の軸方向の両端側に位置する開口部４３ｃ，４３ｇと、前記軸方向に対して交差し、かつ少なくとも一方の外装シートに沿う、他方の軸方向の両端側に位置する閉鎖部４３ｅ，４３ｆとによって構成された断面が扁平な略筒状の通路であり、この空気通路４１の途中である、一方の外装シート４３ｂの空気通路側の面４３ｈには、外装シート４３ｂに沿って一方の閉鎖部４３ｅから他方の閉鎖部４３ｆにわたって、フラップ４２が取り付けられることにより、第１逆止弁と第２逆止弁とが構成され、第１逆止弁は、フラップ４２の一部が外装シート４３ａの空気通路側の面４３ｉに密着することにより、空気通路４１における一端側から他端側への空気の流れを遮断するものであり、かつ、第２逆止弁は、同様にして、前記空気通路４１における他端側から一端側への空気の流れを遮断するものであり、棒状体５を、空気通路４１の両端側の開口部４３ｃ，４３ｇを結ぶように貫通させ、フラップ４２の一部と外装シート４３ａの空気通路側の面４３ｉとの密着を解除することによって、空気通路４１が通気状態となり、棒状体５を引き抜くことによって、空気通路４１が遮断状態に復帰することを特徴とするものを提供する。
これにより、袋内部の脱気及び袋内部への気体充填のどちらも行うことができ、また、簡便に通気状態と遮断状態を切り替えることのできる閉止弁を提供することができる。
【０００８】
【発明の実施の形態】
次に、本願発明の実施の形態に係る脱気袋の一例について説明する。なお、本説明においては、脱気袋１の収納物出入部２側の方向を上、その反対側の方向を下とする。
図１は、本願発明の実施の形態に係る脱気袋１の平面図である。この脱気袋１は、少なくとも２枚の、樹脂製等の非通気性のシート１１，１２により形成された平面視長方形の袋であり、その短辺である上辺１３に収納物出入部２が設けられ、底辺１４及び側辺１５，１６は閉じられている。
そして、表側シート１１には、袋内部の脱気用の閉止弁４が設けられている。
なお、シート１１，１２の表面には、商品名や取扱説明等の任意の文字や模様を印刷して良いし、シート１１，１２自体に抗菌、防臭加工を施しても良い。また、脱気袋１の大きさについては、衣類，毛布，布団等対象物により、任意に決めて良い。また、閉止弁４は脱気袋１のどの位置に設けても良い。
【０００９】
この脱気袋１の使用方法について述べる。まず、収納物出入部２のチャック３を開放状態にする。そして、開放状態となった収納物出入部２から衣類等の収納物を脱気袋１内に収納し、チャック３を閉鎖する。その後、脱気袋１を手で巻き込むようにして圧縮するか、あるいは閉止弁４の開口部４３ｇに電気掃除機のノズル等を挿入して脱気することにより、閉止弁４から脱気袋１内部の空気を外部
に排出し、脱気袋１内部の脱気状態が完成される。
【００１０】
収納物出入部２の閉鎖手段として設けられているチャック３は、本願実施例においては嵌合式であり、図２（Ａ）に示すように、シートの内部の片側に凸条部３１、その反対側に凹条部３２が形成されている。
凸条部３１、凹条部３２には、それぞれ引掛部３３，３４が形成されており、また、凹条部３２には、気密維持用凸部３６、凸条部３１には、気密維持用凹部３７が形成されている。また、凸条部３１は、２つの凸状片３１ａ，３１ａがそれぞれ気密維持用凹部３７を挟んで相反するように形成され、凹条部３２は、凹条３２ａ，３２ａがそれぞれ気密維持用凸部３６を挟んで形成されている。
また、引掛部３３の幅ｔ３３よりも、凹条３２ａの通路部３５の幅ｔ３５の方が小さめに形成されている。チャック３の閉鎖時、凸条部３１と凹条部３２を押圧すると、引掛部３３が通路部３５を押し開くようにして通過し、凹条部３２の引掛部３４と噛み合う。噛み合った状態は、図２（Ｂ）に示すもので、条間３８の隙間がほとんど無く、しかも迷路状になるため、外部からの空気を侵入させず、内部の気密を維持したまま脱気袋１を閉鎖することができる。
なお、チャック３は、図２に示すような形状に限らず、各種のものを採用し得る。
また、チャック３の袋外側には、チャック３の閉鎖を容易にできるようにするために、樹脂製等のスライダーを設けても良い。
【００１１】
閉止弁４は、図３に示すように、断面が扁平な略筒状の空気通路４１の内部にフラップ４２が設けられたものである。
本願発明の実施の形態に係る閉止弁４の外側部分は、対向する２枚の長方形の外装シート４３ａ，４３ｂからなり、これら外装シート４３ａ，４３ｂの短辺側一方のみが開放されることによって内側開口部４３ｃが設けられており、残りの三方周囲４３ｄ，４３ｅ，４３ｆは熱圧着等の方法により接着されている。また、外装シート４３ａの短辺閉鎖部４３ｄの付近には外側開口部４３ｇが設けられており、これと同じ大きさの開口部１１ａが設けられている表側シート１１の内側面に接着されて一体のものになっている。これにより、袋の表側シート１１の内側面に設けられた開口部１１ａから閉止弁４の内側開口部４３ｃに至る、断面が扁平な略筒状の空気通路４１が形成されている。
なお、外装シート４３ａと表側シート１１とは、空気通路４１の反転防止のため、図３に示すように、少なくとも外側開口部４３ｇ（開口部１１ａ）の開口部周囲部分４３ｊと、空気通路４１の中間線Ｃより右側（袋内部側）、好ましくは右端４３ｋとが接着されている必要がある。
なお、表側シート１１の内側面に接着される方の外装シート４３ａを省略し、表側シート１１に直接外装シート４３ｂを取り付けることにより、空気通路を形成しても良い。
【００１２】
外装シート４３ｂの空気通路側の面４３ｈには、外装シート４３ｂに沿って一方の閉鎖部４３ｅから他方の閉鎖部４３ｆにわたって、長方形のフラップ４２が取り付けられており、フラップ４２は、その短辺の中央がフラップ４２の一端から他端まで連続して、外装シート４３ｂに対して熱圧着等の方法で接着された固定部４２ａと、固定部４２ａを中心にして両側に可動であるフラップ部４２ｂ，４２ｃとからなる１枚のシートであり、このフラップ部４２ｂ，４２ｃが、空気通路４１内部を通り抜けようとする気流によって、フラップ４２の取り付けられていない側の外装シート４３ａの空気通路側の面４３ｉに押さえつけられることにより、空気通路４１を遮断する。
なお、フラップ部４２ｂ，４２ｃのうち一方のフラップ部４２ｂは、袋外部から内部への空気の流れを遮断し、他方のフラップ部４２ｃは、袋内部から外部への空気の流れを遮断する働きをなすものである。つまり、フラップ部４２ｂ，４２ｃは、それぞれが組み合わされて空気通路４１の両方向に対して機能するため、袋内部の空気の脱気状態を維持する使用方法も可能であるし、逆に袋内部に空気を充填して、その状態を維持する使用方法も可能である。
なお本例においては、フラップ４２は空気通路４１の軸線に直交するようにして、２列が並べられている。
【００１３】
外装シート４３ａ，４３ｂ及びフラップ４２の材質は、本例においては、軟質合成樹脂フィルムであり、フラップ４２のフラップ部４２ｂ，４２ｃが柔軟に外装シート４３ａの空気通路側の面４３ｉに密着することができる。そのため、フラップ４２と外装シート４３ａとの間に隙間が発生することがなく、袋内部の気密状態が良好に保たれる。
【００１４】
また、フラップ４２に関しては、これまでに説明した形状に限定されるものではなく、種々に変更して実施可能であり、例えば、フラップ部を固定部４２ａの片側にのみ形成したフラップを２枚一組にして、それぞれ対向かあるいは相反して配置するものとしても良いし、空気通路４１内でのフラップ４２の配置数についても、単独でも複数を並列に配置するものとしても良い。
【００１５】
この空気通路４１については、固定部４２ａを中心にフラップ部４２ｂ，４２ｃが両側に付いているため、通常は図３（Ｂ）に示すように、空気通路４１の両方向に対して遮断された状態である。よって、空気通路４１を通気できる状態にするには、棒状体５を図４に示すように、空気通路４１の内側開口部４３ｃと外側開口部４３ｇを結ぶようにして貫通させ、フラップ部４２ｂ，４２ｃの一部と外装シートの空気通路側の面４３ｉとの密着を解除することによって行う。これにより、空気通路４１が通気可能な状態となる。そして、棒状体５を引き抜くことによって、空気通路４１が遮断状態に復帰する。
この棒状体５は、電気掃除機の吸引用ノズルとして実施する事が最適であるが、中空のストロー状のもので人の力で脱気を行うようにしてもよく、また、中実の棒体として実施してもよい。
【００１６】
以上の空気通路と閉止弁の好ましい実施の形態をまとめておくと、対向する外装シート４３ａ，４３ｂの両側辺が、閉鎖された閉鎖部４３ｅ，４３ｆとされることにより、断面が扁平な略筒状の空気通路４１が形成され、この筒状の空気通路４１の両端側に開口部４３ｃ，４３ｇが形成されると共に内部にフラップ４２が設けられた弁において、フラップ４２は、前記一方の外装シート４３ｂに取り付けられる固定部４２ａと、固定部４２ａを中心に可動である第１フラップ部４２ｂと第２フラップ部４２ｃとを備え、第１フラップ部４２ｂは、他方の外装シート４３ａの空気通路側の面４３ｉに密着することにより、前記空気通路４１における一端側から他端側への空気の流れを遮断するものであり、かつ、第２フラップ部４２ｃは、他方の外装シート４３ａの空気通路側の面４３ｉに密着することにより、前記空気通路４１における他端側から一端側への空気の流れを遮断するものであることを特徴とする閉止弁として、理解される。
さらに、上記閉止弁において、対向する外装シート４３ａ，４３ｂのうち一方のシート４３ａを、密封可能な袋１を構成するシート１１を兼ねるものとして実施することもできる。
【００１７】
本願発明の脱気袋に取り付けられる弁は、これまでに説明したものに限られるものではなく、それ以外にも種々に変更が可能である。例えば、他の方式の弁が取り付けられた脱気袋に対して、本願発明に係る閉止弁４を更に取り付け、例えば、一方の弁を掃除機によって脱気するものとし、他方の弁を手で脱気するものとするように、両者の弁を併用するものとしたり、どちらか一方の弁のみを選択して使用できるものとしても良い。これは、例えば大型の脱気袋に適用することにより、速やかに脱気を行うことができるものとなる。
【００１８】
図５に、他の方式の弁と本願発明に係る閉止弁４とを取り付けた脱気袋１を一例として示す。なお、図上のハッチング部分はシートが接着された部分を示している。
脱気袋１には、図５（Ａ）に示すように、閉止弁４と、他に底辺１４から近い位置に脱気弁６と脱気口７とが設けられている。
脱気弁６は、フラップシート６１により形成される。フラップシート６１は、脱気袋１の表側シート１１と裏側シート１２とに挟まれ、左辺１５から右辺１６に至る区間に横長に２枚が重ねて配位される、平面視帯状のシートである。フラップシート６１に対して、各シート１１，１２，６１の接着により区画された空気通路６２が形成される。
この空気通路６２の形成される部分において、フラップシート６１の上端はシート１１，１２に対して横方向の線状に接着されており（フラップシート６１同士は接着されていない）、脱気弁上端部６１ａが形成されている。また、脱気弁上端部６１ａを挟む左右の部分について、フラップシート６１が縦方向の線状に接着されることにより、脱気弁側部６１ｂが形成されている。この３つの接着部に囲まれた部分が空気通路６２となる。なお、この部分以外において、フラップシート６１の他上端部６１ｃは、シート１１，１２，６１がすべて接着され、完全に閉鎖された状態となっており、これにより、脱気時の気流は空気通路６２のみを流れることとなる。
脱気口７は、底辺１４において、表側シート１１と裏側シート１２との接着を途切れさせた部分であり、脱気弁６からの気流は、ここを通り袋外へ流れる。
なお、図５（Ａ）に示す例においては、脱気弁６が左右の２箇所、脱気口７が中央の１箇所に設けられているが、これらの設置数は、これに限られるものでなく、適宜変更して設けることができる。
【００１９】
脱気弁６の上下方向の断面は、図５（Ｂ）（Ｃ）に示すものである。脱気袋１の内部から外部の方向Ｄでは、気流に応じてフラップシート６１同士の間が押し広げられるため、空気通路６２が開放され、空気が流れる。逆に、外部から内部の方向Ｅでは、袋内に流入しようとする空気が行止部６３で止められ、それによりフラップシート６１同士が密着するため、空気通路６２が閉鎖され空気が流れない。よって、一方向の気流のみを許容するため、脱気袋１内の空気を抜いた状態を維持することができる。
この脱気袋１を実際に使用する際には、衣類等の収納物を内部に収納後、脱気袋１を手等で押さえることによって、脱気弁６から脱気口７を通じて脱気を行う。また必要に応じて、閉止弁４からも、掃除機を使用する等して脱気を行うことができ、効率良く脱気作業ができる。
なお、ここで例示した弁の構造はほんの一例であって、フラップシート６１が１枚からなる弁や、別体型の逆止弁等、種々の異なる構造の弁を持つ脱気袋に対しても、閉止弁４を取り付けることが可能である。
【００２０】
なお、ここで例示した弁の構造はほんの一例であって、フラップシート６１が１枚からなる弁や、別体型の逆止弁、また、図６に示すように、脱気袋１の表側シート１１と裏側シート１２との間に弁シート８１，８２を扁平な略筒状に形成し、その内部に図６に示したものと同構造のフラップ８３を設けた弁８等、種々の異なる構造の弁を持つ脱気袋に対しても、閉止弁４を取り付けることが可能である。
【００２１】
【発明の効果】
本願第１の発明においては、使用の前後に関わらず、脱気袋のコンパクト性を損なうことなく、しかも、脱気用の空気通路と袋本体との接着が外れにくく、脱気性を維持することのできる脱気袋を提供することができたものである。また、フラップの存在によって、袋外部から内部への空気の流れと、袋内部から外部への空気の流れとを、確実に遮断する事ができるという効果を発揮する。
本願第２の発明においては、上記の効果に加えて、電気掃除機のノズル等の棒状体を開口部から空気通路内に差し込んだ後、これを引き抜く際、空気通路が棒状体と共に袋外に出て来てしまう事を防止することができるという効果を発揮する。
本願第３の発明においては、袋内部の脱気及び袋内部への気体充填のどちらも行うことができ、また、簡便に通気状態と遮断状態を切り替えることかできるという効果を発揮する。
【図面の簡単な説明】
【図１】本願発明の実施の形態に係る脱気袋の平面図である。
【図２】図２（Ａ）は本願発明の実施の形態に係るチャックを開放した状態の断面図である。図２（Ｂ）は本願発明の実施の形態に係るチャックを閉鎖した状態の断面図である。
【図３】図３（Ａ）は本願発明の実施の形態に係る閉止弁の平面図である。図３（Ｂ）は本願発明の実施の形態に係る閉止弁の図３（Ａ）におけるＡ−Ａ断面図である。
【図４】本願発明の実施の形態に係る閉止弁の、空気通路を通気可能とした状態の図３（Ａ）におけるＡ−Ａ断面図である。
【図５】本願発明の他の実施の形態に係る脱気袋を示す図であり、図５）が平面図、図５（Ｂ）が空気通路の開放状態を示す図５（Ａ）のＢ−Ｂ断面を示す要部拡大断面図、図５（Ｃ）が空気通路の閉鎖状態を示す図５（Ａ）のＢ−Ｂ断面を示す要部拡大断面図である。
【図６】本願発明の他の実施の形態に係る脱気袋の弁の一例を示す要部拡大断面図である。
【符号の説明】
１          袋本体，脱気袋
１１        シート，表側シート
１１ａ      （シート）開口部
１２        シート，裏側シート
２          収納物出入部
４          脱気用通路，閉止弁
４１        空気通路
４２        フラップ
４３ａ，４３ｂ      外装シート
４３ｃ      開口部，内側開口部
４３ｅ，４３ｆ      閉鎖部
４３ｇ      開口部，外側開口部
４３ｈ，４３ｉ      外装シートの空気通路側の面
４３ｊ      開口部に接する部分，開口部周囲部分
４３ｋ      （空気通路）所定位置，（表側シート）右端
５          棒状体
Ｃ          中間位置（空気通路）
【図１】
0003579660.tif 000002
【図２】
0003579660.tif 000003
【図３】
0003579660.tif 000004
【図４】
0003579660.tif 000005
【図５】
0003579660.tif 000006
【図６】
0003579660.tif 000007